(57)【要約】      （修正有）【課題】外観のデザイン性に優れるのみならず、製造および輸送コストを安価にでき、組み立てが簡単で潰れにくい紙製組立箱を提供する。【解決手段】平面状の紙を折り曲げて組み立てられる紙製組立箱１０であり、収納物を載置可能な底板部１１と、この一対の辺１２、１３に、底板部１１上に折り重ねられる折り代部４４を介して連結され、底板部１１に対して垂直状に折り曲げ可能で先側へかけて縮幅する垂直側壁部１４、１５と、底板部１１の他の一対の辺１６、１７に斜めに折り曲げ可能に連結され、垂直側壁部１４、１５の両縁部２６〜２９に当接可能で、先側へかけて縮幅する傾斜側壁部１８、１９と、傾斜側壁部１８、１９の先端に折り曲げ可能に連結され、その先側に把手部が設けられ、垂直側壁部１４、１５に設けられた固定部２２、２３により、把手部の両端部が係止される天井板部を有する。【選択図】図１
0003133291.tif 000002
【実用新案登録請求の範囲】
【請求項１】
１枚の平面状の紙に予め形成された折り目線に沿って折り曲げることにより組み立てられる紙製組立箱であって、
４辺が直線状に形成され四角形となって収納物を載置可能な底板部と、
前記底板部の対向する一対の辺に、該底板部上に折り重ねられる幅狭の折り代部を介してそれぞれ連結され、該底板部に対して垂直状に折り曲げ可能で、基側から先側へかけて縮幅する垂直側壁部と、
前記底板部の対向する他の一対の辺に連結され、該底板部に対して斜めに折り曲げ可能で、しかも前記垂直側壁部の両縁部にそれぞれ当接可能で、基側から先側へかけて縮幅する傾斜側壁部と、
前記一対の傾斜側壁部の先端に折り曲げ可能に連結され、その先側には、前記底板部に対して垂直方向に折り曲げ可能で重ね合わせられる把手部が設けられ、前記一対の垂直側壁部の先端に設けられた固定部により、重ね合わせられた前記把手部の幅方向両端部が係止される天井板部とを有することを特徴とする紙製組立箱。
【請求項２】
請求項１記載の紙製組立箱において、前記一対の傾斜側壁部のうち一方側に配置された傾斜側壁部の幅方向両端部には、前記一対の垂直側壁部の一側部内面に貼り付け可能な貼着部が設けられていることを特徴とする紙製組立箱。
【請求項３】
請求項２記載の紙製組立箱において、前記一対の傾斜側壁部のうち他方側に配置された傾斜側壁部は、前記一対の垂直側壁部に対して未貼着となっており、該一対の垂直側壁部には、該一対の垂直側壁部に対して垂直に折り曲げ可能で、しかも前記底板部に対して垂直状に配置可能な開閉板部が設けられていることを特徴とする紙製組立箱。
【請求項４】
請求項２および３のいずれか１項に記載の紙製組立箱において、前記貼着部には、前記一対の垂直側壁部に対して垂直に折り曲げ可能で、しかも前記底板部に対して垂直状に配置され、前記一方側の傾斜側壁部との間に空間部を形成可能な仕切り板部が設けられていることを特徴とする紙製組立箱。
【考案の詳細な説明】
【技術分野】
【０００１】
本考案は、例えば、洋菓子（ケーキ、クッキー）、または和菓子を入れる包装用容器に適した紙製組立箱に関する。
【背景技術】
【０００２】
従来から、１枚の平面状の紙に予め形成された折り目線に沿って折り曲げることにより組み立てられる紙製組立箱が知られており、例えば菓子のような収納物を入れる包装用容器として用いられている。
例えば、特許文献１には、組み立てた形状が直方体の紙製組立箱が開示されている。
【０００３】
【特許文献１】特開２００６−７６５７４号公報
【考案の開示】
【考案が解決しようとする課題】
【０００４】
しかしながら、前記従来の紙製組立箱は、その形状が直方体であり、外観のデザイン性が良好でない。ここで、デザイン性を向上させるため、底板部に連結される側壁部を、底板部に対して斜めに折り曲げた形状にすることも考えられるが、この場合、側壁部を支持する構造がなければ、紙製組立箱の強度が低下し、潰れ易くなる恐れがある。一方、側壁部を支持する構造を設ければ、箱自体の構造が複雑になって組立箱とすることが困難となる恐れがあり、折り畳めない大量の箱を取り扱う場合、嵩張って搬送と保管が非能率的となる問題がある。また、例え組立箱にできたとしても、その折り曲げ形状が複雑となって、組み立てが難しくなる問題もある。
【０００５】
本考案はかかる事情に鑑みてなされたもので、外観のデザイン性に優れるのみならず、製造および輸送コストを安価にでき、組み立てが簡単で潰れにくい紙製組立箱を提供することを目的とする。
【課題を解決するための手段】
【０００６】
前記目的に沿う本考案に係る紙製組立箱は、１枚の平面状の紙に予め形成された折り目線に沿って折り曲げることにより組み立てられる紙製組立箱であって、
４辺が直線状に形成され四角形となって収納物を載置可能な底板部と、
前記底板部の対向する一対の辺に、該底板部上に折り重ねられる幅狭の折り代部を介してそれぞれ連結され、該底板部に対して垂直状に折り曲げ可能で、基側から先側へかけて縮幅する垂直側壁部と、
前記底板部の対向する他の一対の辺に連結され、該底板部に対して斜めに折り曲げ可能で、しかも前記垂直側壁部の両縁部にそれぞれ当接可能で、基側から先側へかけて縮幅する傾斜側壁部と、
前記一対の傾斜側壁部の先端に折り曲げ可能に連結され、その先側には、前記底板部に対して垂直方向に折り曲げ可能で重ね合わせられる把手部が設けられ、前記一対の垂直側壁部の先端に設けられた固定部により、重ね合わせられた前記把手部の幅方向両端部が係止される天井板部とを有する。
【０００７】
本考案に係る紙製組立箱において、前記一対の傾斜側壁部のうち一方側に配置された傾斜側壁部の幅方向両端部には、前記一対の垂直側壁部の一側部内面に貼り付け可能な貼着部が設けられていることが好ましい。
本考案に係る紙製組立箱において、前記一対の傾斜側壁部のうち他方側に配置された傾斜側壁部は、前記一対の垂直側壁部に対して未貼着となっており、該一対の垂直側壁部には、該一対の垂直側壁部に対して垂直に折り曲げ可能で、しかも前記底板部に対して垂直状に配置可能な開閉板部が設けられていることが好ましい。
本考案に係る紙製組立箱において、前記貼着部には、前記一対の垂直側壁部に対して垂直に折り曲げ可能で、しかも前記底板部に対して垂直状に配置され、前記一方側の傾斜側壁部との間に空間部を形成可能な仕切り板部が設けられていることが好ましい。
【考案の効果】
【０００８】
請求項１〜４記載の紙製組立箱は、収納物を載置可能な底板部に連結される傾斜側壁部および垂直側壁部が、基側から先側へかけて縮幅しているので、従来のような立方体または直方体の形状となった紙製組立箱と比較して、外観のデザイン性が優れる。なお、底板部の面積は、天井板部の面積（正確には、天井板部を組み立てて形成される天井板の面積）と比較して大きいので、安定性にも優れる。
また、一対の垂直側壁部は、底板部に対して垂直に折り曲げられるので、天井板にある程度の力がかかった場合でも、紙製組立箱を潰れにくくできる。また、一対の傾斜側壁部は、垂直側壁部の両縁部に当接するため、外側から傾斜側壁部へ力がかかった場合でも、紙製組立箱を潰れにくくできる。
そして、一対の傾斜側壁部に連結された天井板部の先側の把手部を、一対の垂直側壁部に設けられた固定部により、把手部の両側から係止するので、一対の垂直側壁部の間隔を一定に保つことができ、外側から垂直側壁部へ押力がかかった場合でも、紙製組立箱を潰れにくくできる。
これにより、外観のデザイン性に優れるのみならず、製造および輸送コストを安価にでき、組み立てが簡単で潰れにくい紙製組立箱を提供できる。
【０００９】
特に、請求項２記載の紙製組立箱は、一方側の傾斜側壁部の幅方向両端部に、一対の垂直側壁部の一側部内面に貼り付け可能な貼着部が設けられているので、垂直側壁部と傾斜側壁部との連結を簡単にできる。
請求項３記載の紙製組立箱は、他方側の傾斜側壁部が、一対の垂直側壁部に対して未貼着となっており、各垂直側壁部に開閉板部が設けられているので、両方の開閉板部を底板部に対して垂直状に配置して閉状態にすることで、紙製組立箱内からの収納物の飛び出しを防止できる。また、開閉板部を開状態にする（例えば、両方の開閉板部の先側の連結状態を解除する）ことで、紙製組立箱内からの収納物の取り出しを容易にできる。
そして、開閉板部は、底板部に対して垂直に折り曲げ可能となっているので、垂直側壁部を内部へ倒れ込みにくくできるとともに、紙製組立箱内の収納物が端の方へ移動しても、収納物の上部が斜めになった傾斜側壁部の内面に接触するという恐れがなくなる。
【００１０】
請求項４記載の紙製組立箱は、一方側の傾斜側壁部に、底板部に対して垂直に折り曲げ可能となった仕切り板部が設けられているので、傾斜側壁部を内部へ倒れ込みにくくできるとともに、紙製組立箱内の収納物が端の方へ移動しても、収納物の上部が斜めになった傾斜側壁部の内面に接触するという恐れがなくなる。
また、仕切り板部と傾斜側壁部との間に形成される空間部には、紙製組立箱に入れる収納物の種類に応じて、例えば、保冷剤、スプーン、またはフォークを収納できる。これにより、空間部をデッドスペースとすることなく有効利用できる。
【考案を実施するための最良の形態】
【００１１】
続いて、添付した図面を参照しつつ、本考案を具体化した実施の形態につき説明し、本考案の理解に供する。
ここで、図１（Ａ）〜（Ｃ）はそれぞれ本考案の一実施の形態に係る紙製組立箱の組立後の正面図、側面図、平面図、図２は同紙製組立箱の展開図、図３〜図６は同紙製組立箱を組み立てる方法の説明図である。
【００１２】
図１（Ａ）〜（Ｃ）に示すように、本考案の一実施の形態に係る紙製組立箱１０は、例えば、洋菓子（ケーキ、クッキー）、または和菓子のような収容物（図示しない）を入れる包装用容器に適したものであり、１枚の平面状の紙に予め形成された折り目線に沿って折り曲げることにより組み立てられるものである。なお、折り目線は、図２〜図６に点線で示している。
まず、図１（Ａ）〜（Ｃ）に示す組み立て後の紙製組立箱１０について説明した後、図２に示す紙製組立箱１０の展開図について説明し、この組み立て方法について説明する。
【００１３】
図１（Ａ）〜（Ｃ）に示すように、組み立てられた紙製組立箱１０は、収納物を載置可能な四角形の底板部１１と、この底板部１１の対向する一対の辺（短辺）１２、１３側に垂直に設けられた垂直側壁部１４、１５と、底板部１１の対向する他の辺（長辺）１６、１７に傾斜して設けられた傾斜側壁部１８、１９を有している。この各垂直側壁部１４、１５と各傾斜側壁部１８、１９との上端位置には、天井板２０が設けられ、この天井板２０に把手２１が設けられている。なお、把手２１の幅方向両側は、各垂直側壁部１４、１５の先端（上端）に設けられた固定部２２、２３に形成された固定孔２４、２５に嵌め込まれており、これにより、紙製組立箱１０の密閉状態を維持できるとともに、把手２１の位置が固定されている。
【００１４】
この紙製組立箱１０の大きさは、紙製組立箱１０に入れる収容物の大きさおよび量に応じて設定可能であり、底板部１１の大きさが、例えば、一辺が１０〜３０ｃｍ（本実施の形態では、１６ｃｍ×２１ｃｍ）程度であり、底板部１１から天井板２０までの高さが、例えば、５〜２０ｃｍ（本実施の形態では、１１ｃｍ）程度である。
垂直側壁部１４、１５は同一形状であり、図１に示すように、それぞれ底板部１１の辺１２、１３から例えば５〜３０ｍｍ（本実施の形態では、１５ｍｍ）程度内側の位置に、底板部１１に対して垂直に、しかも辺１２、１３と垂直側壁部１４、１５の底辺とが、平行となるように設けられている。なお、垂直側壁部１４の底板部１１の辺１２からの距離と、垂直側壁部１５の底板部１１の辺１３からの距離とは、同一となっているが、異なってもよい。
【００１５】
また、傾斜側壁部１８、１９も同一形状であり、図１（Ｂ）に示すように、底板部１１に対して例えば７０度以上９０度未満の角度θ１、θ２で傾斜して折り曲げられている。なお、各傾斜側壁部１８、１９の底板部１１に対する傾斜角度θ１、θ２は、同一となっているが、異なってもよい。
一方側の傾斜側壁部１８の内側面は、各垂直側壁部１４、１５の一側縁部２６、２７に接触（当接）し、他側の傾斜側壁部１９の内側面は、各垂直側壁部１４、１５の他側縁部２８、２９に接触（当接）している。このとき、傾斜側壁部１８の両側上端位置の角が、各垂直側壁部１４、１５の一側上端位置の角に、傾斜側壁部１９の両側上端位置の角が、各垂直側壁部１４、１５の他側上端位置の角に、それぞれ接触している。このように、各傾斜側壁部１８、１９の上端位置の幅は、対向する垂直側壁部１４、１５の間隔と同一となっているが、広くてもよい。
【００１６】
傾斜側壁部１８の幅方向両端部には貼着部３０、３１が設けられ、この貼着部３０、３１に各垂直側壁部１４、１５の一側部内面が、例えば、両面テープまたは接着剤により貼り付けられている。なお、傾斜側壁部１９は、各垂直側壁部１４、１５に対して未貼着となっている。
紙製組立箱１０の内部で、傾斜側壁部１８側には、底板部１１に対して垂直状に仕切り板３２が配置され、傾斜側壁部１８との間に空間部３３が形成されている。
この仕切り板３２は、傾斜側壁部１８の各貼着部３０、３１に連結された２枚の仕切り板部３４、３５で構成され、左側の仕切り板部３４の先側に形成された挿入孔３６に、右側の仕切り板部３５の先側に設けられた突出部３７を差し込み可能な構成となっている。なお、仕切り板３２は、その動きを良好にするため、底板部１１との間に隙間（例えば、１〜３ｍｍ程度）を形成しているが、接触してもよい。
また、各仕切り板部３４、３５には、細長（円形、楕円形、矩形、または多角形でもよい）形状の貫通孔３８が、それぞれ複数（１個でもよい）形成されている。なお、貫通孔は形成しなくてもよい。
【００１７】
これにより、紙製組立箱１０内に例えば生菓子を入れる場合は、この空間部３３に保冷剤（図示しない）を入れることで、保冷剤の冷気が貫通孔３８を介して生菓子側へ移動し、生菓子を低温に維持できる。なお、空間部３３には、収納物の種類に応じて、例えば、スプーン、フォーク、または簡易性の手拭きを入れてもよい。
また、仕切り板３２は、底板部１１に対して垂直に設けられているため、例えば、紙製組立箱１０内に生菓子を入れて持ち運ぶ際に、生菓子が紙製組立箱１０内の傾斜側壁部１８の方へ移動したとしても、斜めになった傾斜側壁部１８の内面に、生菓子の上側が接触する恐れもない。
【００１８】
紙製組立箱１０の内部で、傾斜側壁部１９側には、底板部１１に対して垂直状に開閉板３９が配置されている。
この開閉板３９は、垂直側壁部１４、１５の一端にそれぞれ連結された２枚の開閉板部４０、４１で構成され、開閉板部４０の先側に設けられた逆Ｌ字状の係合部４２と、開閉板部４１の先側に設けられたＬ字状の係合部４３とを交差可能な構成となっている。
これにより、紙製組立箱１０内に収納物を入れた後は、各開閉板部４０、４１に設けられた係合部４２、４３を交差させることで、収納物が外部へ突出しようとすることを防止できる。また、開閉板３９は底板部１１に対して垂直に設けられているため、前記した仕切り板３２と同様、斜めになった傾斜側壁部１９の内面に、生菓子の上側が接触する恐れもない。なお、開閉板３９は、その動きを良好にするため、底板部１１との間に隙間（例えば、１〜３ｍｍ程度）を形成しているが、接触してもよい。
【００１９】
次に、紙製組立箱１０の展開状態について、図２を参照しながら説明する。
底板部１１は、４辺が直線状に形成されており、平面視して長方形（正方形でもよい）となっている。この底板部１１の辺１２、１３には、底板部１１上に折り重ねられる幅狭（例えば、５〜３０ｍｍ程度）の折り代部４４を介して、垂直側壁部１４、１５の基側がそれぞれ連結されている。なお、各折り代部４４の幅は、同一幅であるが、垂直側壁部１４、１５の配置位置に応じて異なる幅にしてもよい。
【００２０】
垂直側壁部１４（垂直側壁部１５も同様）は、折り代部４４との連結部４５により、底板部１１に対して垂直状に折り曲げ可能で、基側から先側へかけて縮幅している。ここで、折り代部４４の連結部４５と、垂直側壁部１４の一側縁部２６とのなす角、および他側縁部２８とのなす角は、前記した底板部１１に対する各傾斜側壁部１８、１９の傾斜角度θ１、θ２となっている。
また、垂直側壁部１４（垂直側壁部１５も同様）の先端には、その輪郭が円弧状となった固定部２２が、垂直側壁部１４に対して折り曲げ可能に設けられている。この固定部２２には固定孔２４が形成されている。なお、固定部の形状は、この形状に限定されるものではなく、例えば、矩形状でもよい。
【００２１】
垂直側壁部１４（垂直側壁部１５も同様）の他側には、接続部４６を介して開閉板部４０が設けられている。
接続部４６と垂直側壁部１４を接続する他側縁部２８と、接続部４６の底辺４７とのなす角は、前記した傾斜角度θ２と同一である。更に、接続部４６の底辺４７と開閉板部４０の底辺４８とは、一直線上になっているので、接続部４６を垂直側壁部１４の他側内面に、例えば、両面テープまたは接着剤により貼り付けた後、開閉板部４０を接続部４６を介して、垂直側壁部１４に対し垂直に折り曲げる場合には、開閉板部４０は、底板部１１に対して垂直状に配置される。
なお、各垂直側壁部１４、１５には、その一側下部の角から他側上部の角へかけて斜めに、傾斜折り曲げ線４９、５０が形成されている。この各傾斜折り曲げ線４９、５０は、一側縁部２６、２７と連結部４５のなす角度（θ１）の二等分線である。
【００２２】
底板部１１の辺１６、１７には、傾斜側壁部１８、１９の基側がそれぞれ連結されている。
各傾斜側壁部１８、１９は、底板部１１に対して斜めに折り曲げ可能で、しかも基側から先側へかけて縮幅している。この各垂直側壁部１８、１９の先端には、傾斜側壁部１８、１９に対して折り曲げ可能で、同一形状で同一寸法となった天井板部５１、５２が連結されている。更に、各天井板部５１、５２の先側には、底板部１１に対して垂直方向に折り曲げ可能な円弧状（角型でもよい）の把手部５３、５４が設けられている。
各天井板部５１、５２は、紙製組立箱１０を組み立てる際に、把手部５３、５４の折り曲げ位置が当接可能な構成となっており、これにより、紙製組立箱１０内が天井板２０で覆われ、また把手部５３、５４が重ね合わせられて把手２１が形成される。
【００２３】
傾斜側壁部１８の幅方向両側には、接続部５５、５６と、貼着部３０、３１と、仕切り板部３４、３５が、順次連結されている。なお、傾斜側壁部１８と接続部５５、５６との連結部分、接続部５５、５６と貼着部３０、３１との連結部分、貼着部３０、３１と仕切り板部３４、３５との連結部分には、それぞれ折り曲げ線５７〜５９が形成されている。
ここで、接続部５５（接続部５６も同様）の底辺６０と折り曲げ線５７のなす角は、底板部１１の辺１６と折り曲げ線５７とのなす角より小さいが、同じでもよい。
また、貼着部３０（貼着部３１も同様）の底辺６１と折り曲げ線５８のなす角は、前記した傾斜角度θ１と同一であるが、接続部５５の底辺６０と折り曲げ線５７のなす角に応じて、小さくしても、また大きくしてもよい。
貼着部３０（貼着部３１も同様）の底辺６１と仕切り板部３４の底辺６２とは、一直線状になっているので、仕切り板部３４を、垂直側壁部１４に貼り付けた状態の貼着部３０に対して垂直に折り曲げる場合には、仕切り板部３４は、底板部１１に対して垂直状に配置される。
【００２４】
以上に示した展開形状を、紙製組立箱１０を製造する１枚の平面状の原料紙に形成する。この原料紙は、特に限定されないが、最低限自重および内容物の重量を支持でき、折り曲げ加工に耐える程度の強度および厚みを有している必要がある。これらの性質を具備する原料紙の一例としては、例えば、厚紙またはボール紙を使用できる。
形状の加工は、原料紙を、例えば、抜き型を用いて打ち抜き加工（トムソン加工）する。そして、折り目の形成についても、例えば、ローラー加工により行う。なお、形状の加工と折り目の形成は、それぞれ上記した方法に限定されるものではなく、従来使用されている任意の方法を適用してもよい。
【００２５】
続いて、本考案の一実施の形態に係る紙製組立箱１０の組み立て方法について、図２〜図６を参照しながら説明する。
まず、図２に示すように、組み立て後の紙製組立箱１０の外側となる面を下にする。
次に、図３に示すように、開閉板部４１を接続部４６とともに、他側縁部２９を基点として垂直側壁部１５の上へ折り曲げる。また、開閉板部４０を接続部４６とともに、他側縁部２８を基点として垂直側壁部１４の上へ折り曲げる。これにより、各接続部４６は、垂直側壁部１４、１５に対して、例えば、両面テープまたは接着剤により貼り付けられた状態になる。
【００２６】
そして、垂直側壁部１５を折り代部４４とともに、辺１３を基点として底板部１１の上へ折り曲げる。更に、垂直側壁部１５を傾斜折り曲げ線５０に沿って折り曲げる。また、垂直側壁部１４についても同様に、折り代部４４とともに、辺１２を基点として底板部１１の上へ折り曲げる。そして、更に、垂直側壁部１４を傾斜折り曲げ線４９に沿って折り曲げる。これにより、各折り代部４４は、底板部１１に対して、例えば、両面テープまたは接着剤により貼り付けられた状態になる。
なお、各垂直側壁部１４、１５は、いずれを先に折り曲げてもよい。
これにより、各垂直側壁部１４、１５の一側縁部２６、２７は、それぞれ連結部４５と同一直線上に配置される。
【００２７】
そして、仕切り板部３４を、接続部５５および貼着部３０とともに、折り曲げ線５７を基点として傾斜側壁部１８の上に折り曲げる。また、仕切り板部３５を、接続部５６および貼着部３１とともに、折り曲げ線５７を基点として傾斜側壁部１８の上に折り曲げる。このとき、各接続部５５、５６を傾斜側壁部１８に、例えば、両面テープまたは接着剤により貼り付ける。
なお、各仕切り板部３４、３５は、いずれを先に折り曲げてもよく、また、各垂直側壁部１４、１５と各仕切り板部３４、３５についても、同時にまたはいずれを先に折り曲げてもよい。
【００２８】
次に、図４に示すように、傾斜側壁部１８を、折り曲げた仕切り板部３４、３５、および天井板部５１（把手部５３も含む）とともに、辺１６を基点として底板部１１の上に折り曲げる。
このとき、貼着部３０を、折り曲げた垂直側壁部１４の一側部内面に、また貼着部３１を、折り曲げた垂直側壁部１５の一側部内面に、それぞれ貼り着ける。
この状態で、紙製組立箱１０を使用する店舗へ出荷することが好ましいが、図２に示す展開図の状態、即ち打ち抜きと折り目の加工が終了した状態で出荷してもよい。
【００２９】
この紙製組立箱１０の使用（組み立て）にあっては、図５に示すように、傾斜側壁部１８を、天井板部５１とともに、辺１６を基点として底板部１１上から引き起こす。
なお、各貼着部３０、３１は、各垂直側壁部１４、１５に貼り着けられているため、傾斜側壁部１８を引き起こす動作に伴って、傾斜折り曲げ線４９、５０で折り曲げられた各垂直側壁部１４、１５も、底板部１１から引き起こされながら平面状に開こうとする。
図６に示すように、各垂直側壁部１４、１５が、底板部１１に対して垂直状に配置され、平面状となった時点で、傾斜側壁部１８の引き起こしを止める。そして、形成される空間部３３に例えば、保冷剤、スプーン、またはフォーク（図示しない）を収納した後、各仕切り板部３４、３５を、折り曲げ線５９を基点として貼着部３０、３１に対して垂直に折り曲げ、仕切り板部３４の挿入孔３６に仕切り板部３５の突出部３７を差し込む。
【００３０】
これにより、仕切り板３２の前方に収納領域が形成されるため、各開閉板部４０、４１の先側が収納領域の前方を向くように折り曲げ、収納領域に、例えば、菓子を収納した後、各開閉板部４０、４１を垂直側壁部１４、１５に対して垂直に折り曲げる。
そして、各開閉板部４０、４１の係合部４２、４３をかみ合わせることで、紙製組立箱１０内に菓子を収納できる。
その後、傾斜側壁部１８に対して天井板部５１を折り曲げ、把手部５３を天井板部５１に対して垂直状に引き起こす。一方、傾斜側壁部１９を、辺１７を基点として底板部１１に対して折り曲げ、傾斜側壁部１９の両側内面に、各垂直側壁部１４、１５の他側縁部２８、２９を当接させる。そして、傾斜側壁部１９に対して天井板部５２を折り曲げ、把手部５４を天井板部５２に対して垂直状に引き起こす。
【００３１】
これにより、各天井板部５１、５２の把手部５３、５４の折り曲げ位置が当接し、各把手部５３、５４が重ね合わせられる。
このように、重ね合わせられた把手部５３、５４の幅方向両端部を、各垂直側壁部１４、１５の先端に設けられた固定部２２、２３の固定孔２４、２５に嵌め込むことで、図１（Ａ）〜（Ｃ）に示す形状に組み立てられ、紙製組立箱１０の内部を外部から密閉した状態に維持できる。
そして、例えば、お客は、把手２１を持って、紙製組立箱１０に収納された菓子を持ち帰ることができる。
【００３２】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部または全部を組合せて本考案の紙製組立箱を構成する場合も本考案の権利範囲に含まれる。
【図面の簡単な説明】
【００３３】
【図１】（Ａ）〜（Ｃ）はそれぞれ本考案の一実施の形態に係る紙製組立箱の組み立て後の正面図、側面図、平面図である。
【図２】同紙製組立箱の展開図である。
【図３】同紙製組立箱を組み立てる方法の説明図である。
【図４】同紙製組立箱を組み立てる方法の説明図である。
【図５】同紙製組立箱を組み立てる方法の説明図である。
【図６】同紙製組立箱を組み立てる方法の説明図である。
【符号の説明】
【００３４】
１０：紙製組立箱、１１：底板部、１２、１３：辺、１４、１５：垂直側壁部、１６、１７：辺、１８、１９：傾斜側壁部、２０：天井板、２１：把手、２２、２３：固定部、２４、２５：固定孔、２６、２７：一側縁部、２８、２９：他側縁部、３０、３１：貼着部、３２：仕切り板、３３：空間部、３４、３５：仕切り板部、３６：挿入孔、３７：突出部、３８：貫通孔、３９：開閉板、４０、４１：開閉板部、４２、４３：係合部、４４：折り代部、４５：連結部、４６：接続部、４７、４８：底辺、４９、５０：傾斜折り曲げ線、５１、５２：天井板部、５３、５４：把手部、５５、５６：接続部、５７〜５９：折り曲げ線、６０〜６２：底辺
【図１】
0003133291.tif 000003
【図２】
0003133291.tif 000004
【図３】
0003133291.tif 000005
【図４】
0003133291.tif 000006
【図５】
0003133291.tif 000007
【図６】
0003133291.tif 000008